(57)【要約】【課題】宇宙は筒状に進んでいるのはなぜか。中心のブラックホールの質量はいくらか。ブラックホールになるために必要な質量はいくらか。全体の質量でできる磁気はどこまで届くか。宇宙は今まで何回転したか。【解決手段】まず、宇宙の半径を5×107光年とし、其々の軌道の秒速を600Kmとして宇宙の軌道エネルギーを求める。中心のブラックホールの質量が10n太陽質量であるとき、公転速度2＝5.4×1018+2n/3JKm÷距離、です。この事から中心のブラックホールの質量を求める。ブラックホールになるために必要な質量＝中央のブラックホールの質量×9.458×105太陽質量。磁気が届く距離＝1.627×1010×中央のブラックホールができるために必要な質量2/3。更に其々の軌道の秒速をDKmとして一般式を求める。【選択図】図１
2012244823.tif 000002
【特許請求の範囲】
【請求項１】
宇宙はどのように回転しているか。
宇宙の状態は筒型である。この事は、宇宙は螺旋回転をしている事を示す。
【請求項２】
宇宙の筒型の螺旋回転を縦にカットすると、そこには何が現れるか。
宇宙の筒の螺旋回転を縦にカットすると、そこには、公転の軌道が現れる。
【請求項３】
宇宙の公転が一定の範囲で行われている。これはどうしてか。
宇宙の公転が一定の範囲で行われていることは、中央に強い引力がはたらいている事を示す。その引力は変わらない状態で、長時間続いている事を示す。
【請求項４】
宇宙の公転軌道エネルギーの式を求める。
筒型の中で螺旋回転を行わせている、筒の中央のブラックホールの質量はいくらか。
筒を輪切りにすると、公転軌道が現れる。この中央に存在するブラックホールの質量を10n太陽質量とする。
宇宙の公転速度2=5.4×1018+2n/3JKm÷距離。宇宙の公転速度2×距離＝5.4×1018+2n/3JKm
宇宙の公転速度と距離を知る事によって、宇宙の公転軌道エネルギーの式を求めることができる。
それで、次の事象から宇宙の公転速度を秒速600Kmとする。
｛現在、局部超銀河団はうみへび座〜ケンタウルス座方向に向かって秒速600Kmで引き寄せられている事が解っています。
ペルセウス座超銀河団やうみへび座超銀河団、ケンタウルス座超銀河団なども同じ方向に引き寄せられている事がわかり、この方向の約2億光年かなたに何か巨大な引力原があると推測されました。｝(140億光年のすべてが見えてくる宇宙の辞典より)
筒の半径を1億光年とし、軌道の速度を秒速600Kmとする。秒速が600Kmである軌道が、a半径107光年、b半径2×107光年、c半径3×107光年、d半径4×107光年、e半径5×107光年であると仮定し、それぞれの場合の宇宙の軌道エネルギーの式を求める。
a. 半径107光年の軌道の秒速が600Kmである場合。
宇宙の公転軌道エネルギー＝公転速度2×中心からの距離＝(6×102)2×107×9.46×1012Km＝3.406×1025JKm
宇宙の公転軌道エネルギー＝3.406×1025JKm÷距離、です。
b. 半径2×107光年の軌道の秒速が600Kmである場合。
宇宙の公転軌道エネルギー＝公転速度2×中心からの距離＝(6×102)2×2×107×9.46×1012Km＝6.811×1025JKm
宇宙の公転軌道エネルギー＝6.811×1025JKm÷距離、です。
c. 半径3×107光年の軌道の秒速が600Kmである場合。
宇宙の公転軌道エネルギー＝公転速度2×中心からの距離＝(6×102)2×3×107×9.46×1012Km＝1.022×1026JKm
宇宙の公転軌道エネルギー＝1.022×1026JKm÷距離、です。
d. 半径4×107光年の軌道の秒速が600Kmである場合。
宇宙の公転軌道エネルギー＝公転速度2×中心からの距離＝(6×102)2×4×107×9.46×1012Km＝1.362×1026JKm
宇宙の公転軌道エネルギー＝1.362×1026JKm÷距離、です。
e. 半径5×107光年の軌道の秒速が600Kmである場合。
宇宙の公転軌道エネルギー＝公転速度2×中心からの距離＝(6×102)2×5×107×9.46×1012Km＝1.703×1026JKm
宇宙の公転軌道エネルギー＝1.703×1026JKm÷距離、です。
表5
2012244823.tif 000007
【請求項５】
各々の場合、宇宙の公転軌道における公転速度はいくらか。
aの場合。宇宙の公転軌道エネルギー＝3.406×1025JKm÷距離、です。
107光年の軌道では、速度2＝3.406×1025JKｍ÷(107×9.46×1012Km)＝3.600×105
公転速度＝(3.600×10５)1/2=6×102Km/s、です。
2×107光年の軌道では、速度2＝3.406×1025JKｍ÷(2×107×9.46×1012Km)＝1.800×105
公転速度＝(1.800×105)1/2=4.243×102 Km/s、です。
3×107光年の軌道では、速度2＝3.406×1025JKｍ÷(3×107×9.46×1012Km)＝1.200×105
公転速度＝(1.200×105)1/2=3.464×102 Km/s、です。
4×107光年の軌道では、速度2＝3.406×1025JKｍ÷(4×107×9.46×1012Km)＝9.001×104
公転速度＝(9.001×104)1/2=3.000×102 Km/s、です。
5×107光年の軌道では、速度2＝3.406×1025JKｍ÷(5×107×9.46×1012Km)＝7.201×104
公転速度＝(7.201×104)1/2=2.683×102 Km/s、です。
cの場合。宇宙の公転軌道エネルギー＝1.022×1026JKm÷距離、です。
107光年の軌道では、速度2＝1.022×1026JKｍ÷(107×9.46×1012Km)＝1.080×106
公転速度＝(1.080×106)1/2=1.039×103 Km/s、です。
2×107光年の軌道では、速度2＝1.022×1026JKｍ÷(2×107×9.46×1012Km)＝5.402×105
公転速度＝(5.402×105)1/2=7.350×102Km/s、です。
3×107光年の軌道では、速度2＝1.022×1026JKｍ÷(3×107×9.46×1012Km)＝3.601×105
公転速度＝(3.601×105)1/2=6.001×102 Km/s、です。
4×107光年の軌道では、速度2＝1.022×1026JKｍ÷(4×107×9.46×1012Km)＝2.701×105
公転速度＝(2.701×105)1/2=5.197×102 Km/s、です。
5×107光年の軌道では、速度2＝1.022×1026JKｍ÷(5×107×9.46×1012Km)＝2.161×105
公転速度＝(2.161×105)1/2=4.649×102 Km/s、です。
eの場合。宇宙の公転軌道エネルギー＝1.703×1026JKm÷距離、です。
107光年の軌道では、速度2＝1.703×1026JKｍ÷(107×9.46×1012Km)＝1.800×106
公転速度＝(1.800×106)1/2=1.342×103 Km/s、です。
2×107光年の軌道では、速度2＝1.703×1026JKｍ÷(2×107×9.46×1012Km)＝9.001×105
公転速度＝(9.001×105)1/2=9.487×102Km/s、です。
3×107光年の軌道では、速度2＝1.703×1026JKｍ÷(3×107×9.46×1012Km)＝6.001×105
公転速度＝(6.001×105)1/2=7.747×102 Km/s、です。
4×107光年の軌道では、速度2＝1.703×1026JKｍ÷(4×107×9.46×1012Km)＝4.501×105
公転速度＝(4.501×105)1/2=6.709×102 Km/s、です。
5×107光年の軌道では、速度2＝1.703×1026JKｍ÷(5×107×9.46×1012Km)＝3.600×105
公転速度＝(3.600×105)1/2=6×102Km/s、です。
【請求項６】
各々の場合、宇宙の公転軌道は1公転するのに何年かかるか。現在まで何周しているか。
1周するのにかかる年数＝円周÷1年間に走る距離＝2×3.14×半径(光年)×9.46×1012Km÷(秒速Km/s×365×24×60×60s)=1.883×106×半径(光年)÷秒速
aの場合。
107光年の軌道を公転する。公転速度＝6×102Km/s、です。
1周するのにかかる年数＝2×3.14×10７×9.46×1012Km÷(6×102Km/s×365×24×60×60ｓ)＝5.941×1020÷(1.892×1010)＝3.140×1010(年)
何周しているか。
137×108年÷(3.140×1010年)＝0.436回転
2×107光年の軌道を公転する。公転速度＝4.243×102 Km/s、です。
1周するのにかかる年数＝2×3.14×2×10７×9.46×1012Km÷(4.243×102Km/s×365×24×60×60ｓ)＝1.188×1021÷(1.338×1010)＝8.879×1010(年)
何周しているか。
137×108年÷(8.879×1010年)＝0.154回転
3×107光年の軌道を公転する。公転速度＝3.464×102 Km/s、です。
1周するのにかかる年数＝2×3.14×3×10７×9.46×1012Km÷(3.464×102Km/s×365×24×60×60ｓ)＝1.782×1021÷(1.092×1010)＝1.632×1011(年)
何周しているか。
137×108年÷(1.632×1011年)＝0.084回転
4×107光年の軌道を公転する。公転速度＝3.000×102 Km/s、です。
1周するのにかかる年数＝2×3.14×4×10７×9.46×1012Km÷(3.000×102Km/s×365×24×60×60ｓ)＝2.376×1021÷(9.461×109)＝2.511×1011(年)
何周しているか。
137×108年÷(2.511×1011年)＝0.055回転
5×107光年の軌道を公転する。公転速度＝2.683×102 Km/s、です。
1周するのにかかる年数＝2×3.14×5×10７×9.46×1012Km÷(2.683×102Km/s×365×24×60×60ｓ)＝2.970×1021÷(8.461×109)＝3.510×1011(年)
何周しているか。
137×108年÷(3.510×101１年)＝0.039回転
cの場合。
107光年の軌道を公転する。公転速度＝1.039×103 Km/s、です。
1周するのにかかる年数＝2×3.14×10７×9.46×1012Km÷(1.039×103Km/s×365×24×60×60ｓ)＝5.941×1020÷(3.277×1010)＝1.813×1010(年)
何周しているか。
137×108年÷(1.813×1010年)＝0.756回転
2×107光年の軌道を公転する。公転速度＝7.350×102Km/s、です。
1周するのにかかる年数＝2×3.14×2×10７×9.46×1012Km÷(7.350×102Km/s×365×24×60×60ｓ)＝1.188×1021÷(2.318×1010)＝5.125×1010(年)
何周しているか。
137×108年÷(5.125×1010年)＝0.267回転
3×107光年の軌道を公転する。公転速度＝6.001×102 Km/s、です。
1周するのにかかる年数＝2×3.14×3×10７×9.46×1012Km÷(6.001×102Km/s×365×24×60×60ｓ)＝1.782×1021÷(1.892×1010)＝9.419×1010(年)
何周しているか。
137×108年÷(9.419×1010年)＝0.145回転
4×107光年の軌道を公転する。公転速度＝5.197×102 Km/s、です。
1周するのにかかる年数＝2×3.14×4×10７×9.46×1012Km÷(5.197×102Km/s×365×24×60×60ｓ)＝2.376×1021÷(1.639×1010)＝1.450×1011(年)
何周しているか。
137×108年÷(1.450×1011年)＝0.094回転
5×107光年の軌道を公転する。公転速度＝4.649×102 Km/s、です。
1周するのにかかる年数＝2×3.14×5×10７×9.46×1012Km÷(4.649×102Km/s×365×24×60×60ｓ)＝2.970×1021÷(1.466×1010)＝2.026×1011(年)
何周しているか。
137×108年÷(2.026×101１年)＝0.068回転
eの場合。
107光年の軌道を公転する。公転速度＝1.342×103 Km/s、です。
1周するのにかかる年数＝2×3.14×10７×9.46×1012Km÷(1.342×103Km/s×365×24×60×60ｓ)＝5.941×1020÷(4.232×1010)＝1.404×1010(年)
何周しているか。
137×108年÷(1.404×1010年)＝0.9758回転
2×107光年の軌道を公転する。公転速度＝9.487×102Km/s、です。
1周するのにかかる年数＝2×3.14×2×10７×9.46×1012Km÷(9.487×102Km/s×365×24×60×60ｓ)＝1.188×1021÷(2.992×1010)＝3.971×1010(年)
何周しているか。
137×108年÷(3.971×1010年)＝0.345回転
3×107光年の軌道を公転する。公転速度＝7.747×102 Km/s、です。
1周するのにかかる年数＝2×3.14×3×10７×9.46×1012Km÷(7.747×102Km/s×365×24×60×60ｓ)＝1.782×1021÷(2.443×1010)＝7.294×1010(年)
何周しているか。
137×108年÷(7.294×1010年)＝0.188回転
4×107光年の軌道を公転する。公転速度＝6.709×102 Km/s、です。
1周するのにかかる年数＝2×3.14×4×10７×9.46×1012Km÷(6.709×102Km/s×365×24×60×60ｓ)＝2.376×1021÷(2.116×1010)＝1.123×1011(年)
何周しているか。
137×108年÷(1.123×1011年)＝0.122回転
5×107光年の軌道を公転する。
1周するのにかかる年数＝2×3.14×5×10７×9.46×1012Km÷(6×102Km/s×365×24×60×60ｓ)＝2.970×1021÷(1.892×1010)＝1.570×1011(年)
何周しているか。
137×108年÷(1.570×1011年)＝0.087回転
表6
2012244823.tif 000008
【請求項７】
宇宙の公転軌道エネルギーの式はどのようであるか。公転速度はいくらか。宇宙の公転軌道は1公転するのに何年かかるか。現在まで何周しているか。一般式を求める。
・宇宙の公転軌道エネルギーの式はどのようであるか。一般式を求める。
a. 半径107光年の軌道の秒速がDKmである場合。
宇宙の公転軌道エネルギー＝D2×中心からの距離＝D2×107×9.46×1012Km＝D2×9.46×1019
JKm
宇宙の公転軌道エネルギー＝D2×9.46×1019JKm÷距離、です。
b. 半径2×107光年の軌道の秒速がDKmである場合。
宇宙の公転軌道エネルギー＝公転速度2×中心からの距離＝D2×2×107×9.46×1012Km＝D2×1.892×1020JKm
宇宙の公転軌道エネルギー＝D2×1.892×1020JKm÷距離、です。
c. 半径3×107光年の軌道の秒速がDKmである場合。
宇宙の公転軌道エネルギー＝公転速度2×中心からの距離＝D2×3×107×9.46×1012Km＝D2×2.838×1020JKm
宇宙の公転軌道エネルギー＝D2×2.838×1020JKm÷距離、です。
d. 半径4×107光年の軌道の秒速がDKmである場合。
宇宙の公転軌道エネルギー＝公転速度2×中心からの距離＝D2×4×107×9.46×1012Km＝D2×3.748×1020JKm
宇宙の公転軌道エネルギー＝D2×3.748×1020JKm÷距離、です。
e. 半径5×107光年の軌道の秒速がDKmである場合。
宇宙の公転軌道エネルギー＝公転速度2×中心からの距離＝D2×5×107×9.46×1012Km＝D2×4.73×1020JKm
宇宙の公転軌道エネルギー＝D2×4.73×1020JKm÷距離、です。
・公転速度はいくらか。一般式を求める。
公転速度2＝宇宙の公転軌道エネルギー
公転速度＝宇宙の公転軌道エネルギー1/2
a. の場合。宇宙の公転軌道エネルギー＝ D2×9.46×1019JKm÷距離、です。
107光年の軌道では、速度2＝D2×9.46×1019JKm JKm÷(107×9.46×1012Km)＝D2
公転速度＝(D2)1/2=DKm/s、です。
2×107光年の軌道では、速度2＝D2×9.46×1019JKm
÷(2×107×9.46×1012Km)＝0.5D2
公転速度＝(0.5D2)1/2=0.7071DKm/s、です。
3×107光年の軌道では、速度2＝D2×9.46×1019JKm
÷(3×107×9.46×1012Km)＝0.333D2
公転速度＝(0.333D2)1/2=0.577DKm/s、です。
4×107光年の軌道では、速度2＝D2×9.46×1019JKm
÷(4×107×9.46×1012Km)＝0.25D2
公転速度＝(0.25D2)1/2=0.5DKm/s、です。
5×107光年の軌道では、速度2＝D2×9.46×1019JKm
÷(5×107×9.46×1012Km)＝0.2D2
公転速度＝(0.2D2)1/2=0.447DKm/s、です。
c. の場合。宇宙の公転軌道エネルギー＝D2×2.838×1020JKm÷距離、です。
107光年の軌道では、速度2＝D2×2.838×1020JKm÷(107×9.46×1012Km)＝3D2
公転速度＝(3D2)1/2=1.732DKm/s、です。
2×107光年の軌道では、速度2＝D2×2.838×1020JKm÷(2×107×9.46×1012Km)＝1.5D2
公転速度＝(1.5D2)1/2=1.225DKm/s、です。
3×107光年の軌道では、速度2＝D2×2.838×1020JKm
÷(3×107×9.46×1012Km)＝D2
公転速度＝(D2)1/2=DKm/s、です。
4×107光年の軌道では、速度2＝D2×2.838×1020JKm
÷(4×107×9.46×1012Km)＝0.75D2
公転速度＝(0.75D2)1/2=0.866DKm/s、です。
5×107光年の軌道では、速度2＝D2×2.838×1020JKm
÷(5×107×9.46×1012Km)＝0.6D2
公転速度＝(0.6D2)1/2=0.775DKm/s、です。
e. の場合。宇宙の公転軌道エネルギー＝D2×4.73×1020JKm÷距離、です。
107光年の軌道では、速度2＝D2×4.73×1020JKm÷(107×9.46×1012Km)＝5D2
公転速度＝(5D2)1/2=2.236DKm/s、です。
2×107光年の軌道では、速度2＝D2×4.73×1020JKm÷(2×107×9.46×1012Km)＝2.5D2
公転速度＝(2.5D2)1/2=1.581DKm/s、です。
3×107光年の軌道では、速度2＝D2×4.73×1020JKm
÷(3×107×9.46×1012Km)＝1.666D2
公転速度＝(1.666D2)1/2=1.291DKm/s、です。
4×107光年の軌道では、速度2＝D2×4.73×1020JKm
÷(4×107×9.46×1012Km)＝1.250D2
公転速度＝(1.250D2)1/2=1.118DKm/s、です。
5×107光年の軌道では、速度2＝D2×4.73×1020JKm
÷(5×107×9.46×1012Km)＝D2
公転速度＝(D2)1/2=DKm/s、です。
・宇宙の公転軌道は1周するのに何年かかるか。現在まで何周しているか。一般式を求める。
1周するのにかかる年数＝円周÷1年間に走る距離＝2×3.14×半径(光年)×9.46×1012Km÷(秒速×365×24×60×60)＝1.883×半径(光年)÷秒速×106
何周しているか＝137×108年÷1周するのにかかる年数＝137×108年÷(1.883×半径(光年)÷秒速×106)＝7.276×103×秒速÷半径(光年)
a.の場合。
107光年の軌道を公転する。公転速度＝D21/2=DKm/s、です。
1周するのにかかる年数＝1.883×半径(光年)÷秒速×106＝1.883×107÷D×106＝1.883×1013÷D
何周しているか＝7.276×103×秒速÷半径(光年)＝7.276×103×D÷107＝7.276×10−4×D
2×107光年の軌道を公転する。公転速度＝0.707DKm/s、です。
1周するのにかかる年数＝1.883×半径(光年)÷秒速×106＝1.883×2×107÷0.707D×106＝5.327×1013÷D
何周しているか＝7.276×103×秒速÷半径(光年)＝7.276×103×0.707D÷(2×107)＝2.572×10−4×D
3×107光年の軌道を公転する。公転速度＝0.577DKm/s、です。
1周するのにかかる年数＝1.883×半径(光年)÷秒速×106＝1.883×3×107÷0.577D×106＝9.790×1013÷D
何周しているか＝7.276×103×秒速÷半径(光年)＝7.276×103×0.577D÷(3×107)＝1.399×10−4×D
4×107光年の軌道を公転する。公転速度＝0.5DKm/s、です。
1周するのにかかる年数＝1.883×半径(光年)÷秒速×106＝1.883×4×107÷0.5D×106＝1.506×1014÷D
何周しているか＝7.276×103×秒速÷半径(光年)＝7.276×103×0.5D÷(4×107)＝9.095×10−5×D
5×107光年の軌道を公転する。公転速度＝0.447DKm/s、です。
1周するのにかかる年数＝1.883×半径(光年)÷秒速×106＝1.883×5×107÷0.447D×106＝2.106×1014÷D
何周しているか＝7.276×103×秒速÷半径(光年)＝7.276×103×0.447D÷(5×107)＝6.505×10−5×D
cの場合。
107光年の軌道を公転する。公転速度＝1.732DKm/s、です。
1周するのにかかる年数＝1.883×半径(光年)÷秒速×106＝1.883×107÷1.732D×106＝1.087×1013÷D
何周しているか＝7.276×103×秒速÷半径(光年)＝7.276×103×1.732D÷107＝1.260×10−3×D
2×107光年の軌道を公転する。公転速度＝1.225DKm/s、です。
1周するのにかかる年数＝1.883×半径(光年)÷秒速×106＝1.883×2×107÷1.225D×106＝3.074×1013÷D
何周しているか＝7.276×103×秒速÷半径(光年)＝7.276×103×1.225D÷(2×107)＝4.457×10−4×D
3×107光年の軌道を公転する。公転速度＝DKm/s、です。
1周するのにかかる年数＝1.883×半径(光年)÷秒速×106＝1.883×3×107÷D×106＝5.649×1013÷D
何周しているか＝7.276×103×秒速÷半径(光年)＝7.276×103×D÷(3×107)＝2.425×10−4×D
4×107光年の軌道を公転する。公転速度＝0.866DKm/s、です。
1周するのにかかる年数＝1.883×半径(光年)÷秒速×106＝1.883×4×107÷0.866D×106＝8.697×1013÷D
何周しているか＝7.276×103×秒速÷半径(光年)＝7.276×103×0.866D÷(4×107)＝1.575×10−4×D
5×107光年の軌道を公転する。公転速度＝0.775DKm/s、です。
1周するのにかかる年数＝1.883×半径(光年)÷秒速×106＝1.883×5×107÷0.775D×106＝1.215×1014÷D
何周しているか＝7.276×103×秒速÷半径(光年)＝7.276×103×0.775D÷(5×107)＝1.128×10−4×D
e.の場合。
107光年の軌道を公転する。公転速度＝2.236DKm/s、です。
1周するのにかかる年数＝1.883×半径(光年)÷秒速×106＝1.883×107÷2.236D×106＝8.421×1012÷D
何周しているか＝7.276×103×秒速÷半径(光年)＝7.276×103×2.236D÷107＝1.627×10−3×D
2×107光年の軌道を公転する。公転速度＝1.581DKm/s、です。
1周するのにかかる年数＝1.883×半径(光年)÷秒速×106＝1.883×2×107÷1.581D×106＝2.382×1013÷D
何周しているか＝7.276×103×秒速÷半径(光年)＝7.276×103×1.581D÷(2×107)＝5.752×10−4×D
3×107光年の軌道を公転する。公転速度＝1.291DKm/s、です。
1周するのにかかる年数＝1.883×半径(光年)÷秒速×106＝1.883×3×107÷1.291D×106＝4.376×1013÷D
何周しているか＝7.276×103×秒速÷半径(光年)＝7.276×103×1.291D÷(3×107)＝3.131×10−4×D
4×107光年の軌道を公転する。公転速度＝1.118DKm/s、です。
1周するのにかかる年数＝1.883×半径(光年)÷秒速×106＝1.883×4×107÷1.118D×106＝6.737×1013÷D
何周しているか＝7.276×103×秒速÷半径(光年)＝7.276×103×1.118D÷(4×107)＝2.034×10−4×D
5×107光年の軌道を公転する。公転速度＝DKm/s、です。
1周するのにかかる年数＝1.883×半径(光年)÷秒速×106＝1.883×5×107÷D×106＝9.415×1013÷D
何周しているか＝7.276×103×秒速÷半径(光年)＝7.276×103×D÷(5×107)＝1.455×10−4×D
表7
2012244823.tif 000009
・この事によって理解できる事。
軌道の速度を知る事によって、宇宙の公転軌道エネルギー、各々の軌道における公転速度、1周するのにかかる年数、何周しているか、を計算できる。
【請求項８】
中心のブラックホールの質量はいくらか。一般式を求め、1例を示す。
中心のブラックホールの質量が10n太陽質量であるとき、軌道エネルギーは、5.4×1018+2n/3JKm÷距離、です。この事から中心のブラックホールの質量を求める。一般式を求める。
公転速度をD(Km/s)とする。
a.銀河が半径107光年の軌道に存在し、その公転速度をD(Km/s)とする。
5.4×1018+2n/3JKm÷距離＝5.4×1018+2n/3JKm÷(107×9.46×1012Km)＝D2
102n/3＝D2÷5.4×(107×9.46×1012Km)÷1018＝1.752×10×D2＝101.2435×D2 
2n/3 =1.243+log D2
n=(1.243+log D2)×1.5  
10n=中央のブラックホールの質量
a. 例えば、半径107光年の軌道の秒速が600Kmである場合。
n＝(1.243+log D2)×1.5＝(1.243+Log6002)×1.5＝(1.243+ Log3.6×105)×1.5＝(1.243+5.5563)×1.5＝6.7993×1.5＝10.19895
1010.19895＝1.581×1010
中央のブラックホールの質量は、1.581×1010太陽質量です。
ｃ. 半径3×107光年の軌道の秒速がDKmである場合。
5.4×1018+2n/3JKm÷距離＝5.4×1018+2n/3JKm÷(3×107×9.46×1012Km)＝D2
102n/3＝D2÷5.4×(3×107×9.46×1012Km)÷1018＝5.2556×10×D2＝101.7207×D2
2n/3=1.7207×log D2
n＝(1.7207×log D2)×1.5
10n=中央のブラックホールの質量
c. 例えば、半径3×107光年の軌道の秒速が600Kmである場合。
n＝(1.7207×log D2)×1.5＝(1.7207+Log6002)×1.5＝(1.7207+ Log3.6×105)×1.5＝(1.7207+5.5563)×1.5＝7.277×1.5＝10.9155
1010.9155=8.231×1010
中央のブラックホールの質量は、8.231×1010太陽質量です。
e. 半径5×107光年の軌道の秒速がDKmである場合。
5.4×1018+2n/3JKm÷距離＝5.4×1018+2n/3JKm÷(5×107×9.46×1012Km)＝D2
102n/3＝D2÷5.4×(5×107×9.46×1012Km)÷1018＝8.759×10×D2＝101.9894×D2
2n/3=1.9894×log D2
n＝(1.9894×log D2)×1.5
10n=中央のブラックホールの質量
e. 例えば、半径5×107光年の軌道の秒速が600Kmである場合。
n＝(1.9894×log D2)×1.5＝(1.9894+Log6002)×1.5＝(1.9894+ Log3.6×105)×1.5＝(1.9894+5.5563)×1.5＝7.5457×1.5＝11.31855
1011.31855＝2.082×1011
中央のブラックホールの質量は、2.082×1011太陽質量です。
【請求項９】
中央のブラックホールができるために必要な質量はいくらか。
私は、2008年9月1日に提出した、特願2008−223099、において、太陽質量のB倍のブラックホールになるために必要な質量は、B×9.458×105太陽質量に成る、と示した。
それで、a,c,eの場合、ブラックホールになるために必要な質量はいくらか。
a. 例えば、半径107光年の軌道の秒速が600Kmである場合。
中央のブラックホールの質量は、1.581×1010太陽質量です。
中央のブラックホールができるために必要な質量=9.458×105×1.581×1010太陽質量=1.495×1016太陽質量
中央のブラックホールができるために必要な質量は1.495×1016太陽質量です。
c. 例えば、半径3×107光年の軌道の秒速が600Kmである場合。
中央のブラックホールの質量は、8.231×1010太陽質量です。
中央のブラックホールができるために必要な質量=9.458×105×8.231×1010太陽質量＝7.785×1016太陽質量
中央のブラックホールができるために必要な質量は7.785×1016太陽質量です。
e. 例えば、半径5×107光年の軌道の秒速が600Kmである場合。
中央のブラックホールの質量は、2.082×1011太陽質量です。
中央のブラックホールができるために必要な質量=9.458×105×2.082×1011太陽質量＝1.969×1017太陽質量
中央のブラックホールができるために必要な質量は1.969×1017太陽質量です。
【請求項１０】
磁気の届く距離はいくらか。この距離は何光年か。
私は、2008年7月4日に提出した、特願2008−200203において、
β＝軌道の全体の質量＝ブラックホールになるために必要な質量とする。
磁気の届く距離＝1.627×1010×β2/3Km、と示した。
a. 例えば、半径107光年の軌道の秒速が600Kmである場合。
β＝軌道の全体の質量＝ブラックホールになるために必要な質量＝1.495×1016太陽質量
磁気の届く距離＝1.627×1010×β2/3Km＝1.627×1010×(1.495×1016)2/3Km=1.627×1010×14.952/3×1010Km＝1.627×1010×6.069×1010Km＝9.874×1020Km
磁気の届く距離は9.874×1020Kmです。
この距離は何光年か。
距離÷(9.46×1012Km)＝9.874×1020Km÷(9.46×1012Km)＝1.044×108(光年)
磁気の届く距離は1.044×108光年です。
c. 例えば、半径3×107光年の軌道の秒速が600Kmである場合。
β＝軌道の全体の質量＝ブラックホールになるために必要な質量＝7.783×1016太陽質量
磁気の届く距離＝1.627×1010×β2/3Km＝1.627×1010×(7.783×1016)2/3Km=1.627×1010×77.832/3×1010Km＝1.627×1010×18.229×1010Km＝2.966×1021Km
磁気の届く距離は2.966×1021Kmです。
この距離は何光年か。
距離÷(9.46×1012Km)＝2.966×1021Km÷(9.46×1012Km)＝3.135×108(光年)
磁気の届く距離は3.135×108光年です。
e. 例えば、半径5×107光年の軌道の秒速が600Kmである場合。
β＝軌道の全体の質量＝ブラックホールになるために必要な質量＝1.969×1017太陽質量
磁気の届く距離＝1.627×1010×β2/3Km＝1.627×1010×(1.969×101７)2/3Km=1.627×1010×196.92/3×1010Km＝1.627×1010×33.845×1010Km＝5.507×1021Km
磁気の届く距離は5.507×1021Kmです。
この距離は何光年か。
距離÷(9.46×1012Km)＝5.507×1021Km÷(9.46×1012Km)＝5.821×108(光年)
磁気の届く距離は5.821×108光年です。
表8
2012244823.tif 000010
・この事によって理解できる事。
現在、宇宙の軌道は約1億光年です。
この事によって、中央のブラックホールの質量を求める式も、中央のブラックホールができるために必要な質量を求める式も、磁気の届く距離を求める式も正しい事が確認できた。
中心のブラックホールの質量が10n太陽質量であるとき、軌道エネルギーは、5.4×1018+2n/3JKm÷距離、です。
軌道エネルギーは速度2です。
太陽質量のB倍のブラックホールになるために必要な質量は、B×9.458×105太陽質量です。
磁気の届く距離＝1.627×1010×β2/3Km、βは全体の質量で、中央のブラックホールができるために必要な質量です。
軌道の速度を知る事によって、中央のブラックホールの質量、中央のブラックホールができるために必要な質量、磁気の届く距離を知る事ができる。
【請求項１１】
もし、宇宙の公転軌道が1億光年で、現在まで1公転しているとしたら、筒の長さはいくらか。
私は、2008年10月17日に提出した、特願2008−268538、「宇宙11」で、次のように記した。
螺旋回転速度2＝公転速度2÷0.01254＝公転速度2×79.7
このことは、螺旋回転速度＝(公転速度2×79.7)1/2≒公転速度×8.927、です。
速さと距離は比例します。それで、螺旋回転で進んだ距離は公転で進む距離×8.927、です。
もし、公転で進んだ距離＝軌道×3.14とすると、
筒の長さを進んだ距離は、公転で進んだ距離×8.927です。
筒の長さを進んだ距離は、公転で進んだ距離×8.927で、これは螺旋回転をしているので、筒の長さにすると、公転で進んだ距離×8.927÷3.14＝公転で進んだ距離×2.843、です。
現在まで、仮に、宇宙は1公転し、公転の直径が1億光年であるとすると、宇宙の進んだ距離は、1億光年×3.14です。
そして、螺旋状に進んだ距離は、公転で進んだ距離×8.927＝1億光年×3.14×8.927＝28.03億光年です。
そして、それを筒の長さにすると、公転で進んだ距離×8.927÷3.14＝公転で進んだ距離×2.843＝1億光年×3.14×2.843＝8.927億光年です。
即ち、筒の長さは、8.927億光年です。
【請求項１２】
宇宙の状態を筒と考えると、筒の直径は少しずつ拡大しているのはなぜか。
中央のブラックホールのエネルギーと、それを含む全体のエネルギーが引力(磁気)に成り、筒を引いている。
時間の経過とともに、そのエネルギーは弱まる。引力は弱まる。その結果筒の直径は少しずつ拡大している。
【請求項１３】
中心のブラックホールはいつできたか。
中心のブラックホールはビッグバンの時にできた。
【請求項１４】
グレートウオールはどのようになっているのか。
遠くの銀河ほど古い時代にできた。銀河の塊がある軌道に存在します。時間と共に、軌道は進みます。軌道は螺旋状に進みます。
軌道に存在する銀河の塊も螺旋状に筒の中を進みます。それで、銀河の存在の様子は銀河が時間と共に軌道上を進んでいる事を示している。
グレートウオールはたくさんの銀河が軌道に存在し、軌道を進んでいる事を示している。
【請求項１５】
グレートウオールの形から、宇宙は今まで何公転したか。
グレートウオールは3億光年の距離にあり、グレートウオールは長さ5億光年以上、高さ2億光年、厚さ1500万光年程です。
グレートウオールの形から、宇宙は今まで約１公転したと推察できる。
【請求項１６】
宇宙はこれからどのように進むか。
電子は陽子の周囲を螺旋回転し、地球は太陽の周囲を螺旋回転し、太陽は腕の中のブラックホールを螺旋回転し、銀河系は中心のブラックホールの周囲を螺旋回転する。
宇宙は、まるで、ホルンのように先端の公転を拡大しながら螺旋回転する。
【発明の詳細な説明】
【技術分野】
【０００１】
本発明は、宇宙の軌道エネルギーに関するものである。
【背景技術】
【０００２】
私は、電子の中に非常に小さい粒子が存在し、その微粒子の名を電子のラブと名付けた。陽子の中に非常に小さい粒子が存在し、その微粒子の名を陽子のラブと名付けた。電子のラブと陽子のラブは螺旋回転している。その軌道エネルギーは、8.665×10−24Jmです。(これについては、特願2006−336352に記した。)
地球が作る月の軌道エネルギー＝4.635×105JKm÷距離、です。太陽が作る太陽系の軌道エネルギーは、1.325×1011JKm÷距離＝公転速度2、です。  ブラックホールの質量が10n太陽質量である場合の、星の軌道エネルギーは、5.471×1018＋2n/3JKm÷距離＝公転速度2、です。螺旋回転速度2＝公転速度2×79.7＝5.471×1018＋2n/3JKm÷距離×79.7＝4.360×1020＋2n/3Jkm÷距離。中性子の質量が10n太陽質量である場合の、星の軌道エネルギーは、1.247×1018＋2n/3JKm÷距離＝公転速度2、です。(これらについては、特願2009−114091に記した。)
【先行技術文献】
【特許文献】
【０００３】
【特許文献１】特願２００６−３３６３５２
【特許文献２】特願２００８−２００２０３
【特許文献３】特願２００８−２２３０９９
【特許文献４】特願２００８−２６８５３８
【特許文献５】特願２００９−１１４０９１
【発明の概要】
【発明が解決しようとする課題】
【０００４】
１．宇宙はどのように回転しているか。
２．宇宙の筒の螺旋回転を軌道状にカットすると、そこには何が現れるか。
３．宇宙の公転が一定の範囲で行われている。これはどうしてか。
４．宇宙の公転軌道エネルギーの式を求める。
５．各々の場合、宇宙の公転軌道における公転速度はいくらか。
６．各々の場合、宇宙の公転軌道は1周するのに何年かかるか。現在まで何周しているか。
７．宇宙の公転軌道エネルギーの式はどのようであるか。公転速度はいくらか。宇宙の公転軌道は1公転するのに何年かかるか。現在まで何周しているか。一般式を求める。
８．中心のブラックホールの質量はいくらか。一般式を求め、1例を示す。
９．中央のブラックホールができるために必要な質量はいくらか。
１０．磁気の届く距離はいくらか。この距離は何光年か。
１１．もし、宇宙の公転軌道が1億光年で、現在まで1公転しているとしたら、筒の長さはいくらか。
１２．宇宙の状態を筒と考えると、筒の直径は少しずつ拡大しているのはなぜか。
１３．中心のブラックホールはいつできたか。
１４．グレートウオールはどのようになっているのか。
１５．グレートウオールの形から、宇宙は今まで何公転したか。
１６．宇宙はこれからどのように進むか。
【課題を解決するための手段】
【０００５】
本発明は、ブラックホールの質量が10n太陽質量である場合の、星の軌道エネルギーは、5.471×1018＋2n/3JKm÷距離＝公転速度2、である式を用いて、銀河の速度と中心からの距離から宇宙の軌道エネルギーを求める。さらに、中心のブラックホールの質量を求め、中心のブラックホールに成るために必要な質量を求め、この質量でできる磁気が届く距離を求める。ブラックホールになるために必要な質量＝中央のブラックホールの質量×9.458×105太陽質量。磁気が届く距離＝1.627×1010×中央のブラックホールができるために必要な質量2/3。更に其々の軌道の秒速をDKmとして一般式を求める。
【発明の効果】
【０００６】
宇宙は筒状に進んでいる。この事は中心にブラックホールがあり、中心のブラックホールにより、銀河は引き寄せられているからです。各々の軌道の速度を600Kmとして、その中心のブラックホールの質量を理解できた。そのブラックホールを作るために必要である全体の質量を計算できた。全体の質量でできる磁気の光子が引力として届く距離を求める事ができた。その距離は約1億光年であり、ほぼ宇宙の公転軌道に等しい事を理解できた。この事によって、宇宙はビッグバンの時にできた、中心のブラックホールにより引かれ、螺旋回転している事が理解できた。一般式に速度を代入する事により、宇宙の公転軌道エネルギー、各軌道の速度、1周するのにかかる年数、今まで何周しているか、中心のブラックホールの質量はいくらか、中央のブラックホールができるために必要な質量、磁気の届く距離等を計算できる。
【図面の簡単な説明】
【０００７】
【図１】図１は其々の軌道の公転速度を600Km/sとした場合の宇宙の軌道エネルギーの説明図。      (１)図は107光年の軌道の公転速度が600Km/sであるとした場合であり、宇宙の公転軌道エネルギー＝3.406×1025JKm÷距離。中心のブラックホールの質量は1.581×1010太陽質量。全体の質量は1.495×1016太陽質量。磁気の届く距離は1.044×108光年である事を示す。      (２)図は3×107光年の軌道の公転速度が600Km/sであるとした場合であり、宇宙の公転軌道エネルギー＝1.022×1026JKm÷距離。中心のブラックホールの質量は8.231×1010太陽質量。全体の質量は7.785×1016太陽質量。磁気の届く距離は3.135×108光年である事を示す。      (３)図は5×107光年の軌道の公転速度が600Km/sであるとした場合であり、宇宙の公転軌道エネルギー＝1.703×1026JKm÷距離。中心のブラックホールの質量は2.082×1011太陽質量。全体の質量は1.969×1017太陽質量。磁気の届く距離は5.821×108光年である事を示す。
【図２】図２は筒の中心にブラックホールがあり、全体の質量エネルギーが時間の経過とともに弱まることにより、引力が時間の経過とともに弱まり、公転軌道は拡大し、筒は少しずつ拡大する。
【図３】図3は筒の中心にブラックホールがあり、その周囲を軌道は螺旋状に回転している。螺旋状に存在する銀河団の塊も時間と共に螺旋状に進む。それで、時間と共に螺旋状に進んだ銀河団の塊は螺旋状に存在しているように観察される。これがグレートウオールです。
【図４】宇宙の筒の直径を1億光年とすると、筒の長さは8.927光年です。
【発明を実施するための形態】
【０００８】
１．  宇宙はどのように回転しているか。
宇宙の状態は筒型である。この事は、宇宙は螺旋回転をしている事を示す。
２．  宇宙の筒型の螺旋回転を縦にカットすると、そこには何が現れるか。
宇宙の筒の螺旋回転を縦にカットすると、そこには、公転の軌道が現れる。
３．  宇宙の公転が一定の範囲で行われている。これはどうしてか。
宇宙の公転が一定の範囲で行われていることは、中央に強い引力がはたらいている事を示す。その引力は変わらない状態で、長時間続いている事を示す。
４．  宇宙の公転軌道エネルギーの式を求める。
筒型の中で螺旋回転を行わせている、筒の中央のブラックホールの質量はいくらか。
筒を輪切りにすると、公転軌道が現れる。この中央に存在するブラックホールの質量を10n太陽質量とする。
宇宙の公転速度2=5.4×1018+2n/3JKm÷距離。宇宙の公転速度2×距離＝5.4×1018+2n/3JKm
宇宙の公転速度と距離を知る事によって、宇宙の公転軌道エネルギーの式を求めることができる。
それで、次の事象から宇宙の公転速度を秒速600Kmとする。
｛現在、局部超銀河団はうみへび座〜ケンタウルス座方向に向かって秒速600Kmで引き寄せられている事が解っています。
ペルセウス座超銀河団やうみへび座超銀河団、ケンタウルス座超銀河団なども同じ方向に引き寄せられている事がわかり、この方向の約2億光年かなたに何か巨大な引力原があると推測されました。｝(140億光年のすべてが見えてくる宇宙の辞典より)
筒の半径を1億光年とし、軌道の速度を秒速600Kmとする。秒速が600Kmである軌道が、a半径107光年、b半径2×107光年、c半径3×107光年、d半径4×107光年、e半径5×107光年であると仮定し、それぞれの場合の宇宙の軌道エネルギーの式を求める。
a. 半径107光年の軌道の秒速が600Kmである場合。
宇宙の公転軌道エネルギー＝公転速度2×中心からの距離＝(6×102)2×107×9.46×1012Km＝3.406×1025JKm
宇宙の公転軌道エネルギー＝3.406×1025JKm÷距離、です。
b. 半径2×107光年の軌道の秒速が600Kmである場合。
宇宙の公転軌道エネルギー＝公転速度2×中心からの距離＝(6×102)2×2×107×9.46×1012Km＝6.811×1025JKm
宇宙の公転軌道エネルギー＝6.811×1025JKm÷距離、です。
c. 半径3×107光年の軌道の秒速が600Kmである場合。
宇宙の公転軌道エネルギー＝公転速度2×中心からの距離＝(6×102)2×3×107×9.46×1012Km＝1.022×1026JKm
宇宙の公転軌道エネルギー＝1.022×1026JKm÷距離、です。
d. 半径4×107光年の軌道の秒速が600Kmである場合。
宇宙の公転軌道エネルギー＝公転速度2×中心からの距離＝(6×102)2×4×107×9.46×1012Km＝1.362×1026JKm
宇宙の公転軌道エネルギー＝1.362×1026JKm÷距離、です。
e. 半径5×107光年の軌道の秒速が600Kmである場合。
宇宙の公転軌道エネルギー＝公転速度2×中心からの距離＝(6×102)2×5×107×9.46×1012Km＝1.703×1026JKm
宇宙の公転軌道エネルギー＝1.703×1026JKm÷距離、です。
表1
2012244823.tif 000003
５．  各々の場合、宇宙の公転軌道における公転速度はいくらか。
aの場合。宇宙の公転軌道エネルギー＝3.406×1025JKm÷距離、です。
107光年の軌道では、速度2＝3.406×1025JKｍ÷(107×9.46×1012Km)＝3.600×105
公転速度＝(3.600×10５)1/2=6×102Km/s、です。
2×107光年の軌道では、速度2＝3.406×1025JKｍ÷(2×107×9.46×1012Km)＝1.800×105
公転速度＝(1.800×105)1/2=4.243×102 Km/s、です。
3×107光年の軌道では、速度2＝3.406×1025JKｍ÷(3×107×9.46×1012Km)＝1.200×105
公転速度＝(1.200×105)1/2=3.464×102 Km/s、です。
4×107光年の軌道では、速度2＝3.406×1025JKｍ÷(4×107×9.46×1012Km)＝9.001×104
公転速度＝(9.001×104)1/2=3.000×102 Km/s、です。
5×107光年の軌道では、速度2＝3.406×1025JKｍ÷(5×107×9.46×1012Km)＝7.201×104
公転速度＝(7.201×104)1/2=2.683×102 Km/s、です。
cの場合。宇宙の公転軌道エネルギー＝1.022×1026JKm÷距離、です。
107光年の軌道では、速度2＝1.022×1026JKｍ÷(107×9.46×1012Km)＝1.080×106
公転速度＝(1.080×106)1/2=1.039×103 Km/s、です。
2×107光年の軌道では、速度2＝1.022×1026JKｍ÷(2×107×9.46×1012Km)＝5.402×105
公転速度＝(5.402×105)1/2=7.350×102Km/s、です。
3×107光年の軌道では、速度2＝1.022×1026JKｍ÷(3×107×9.46×1012Km)＝3.601×105
公転速度＝(3.601×105)1/2=6.001×102 Km/s、です。
4×107光年の軌道では、速度2＝1.022×1026JKｍ÷(4×107×9.46×1012Km)＝2.701×105
公転速度＝(2.701×105)1/2=5.197×102 Km/s、です。
5×107光年の軌道では、速度2＝1.022×1026JKｍ÷(5×107×9.46×1012Km)＝2.161×105
公転速度＝(2.161×105)1/2=4.649×102 Km/s、です。
eの場合。宇宙の公転軌道エネルギー＝1.703×1026JKm÷距離、です。
107光年の軌道では、速度2＝1.703×1026JKｍ÷(107×9.46×1012Km)＝1.800×106
公転速度＝(1.800×106)1/2=1.342×103 Km/s、です。
2×107光年の軌道では、速度2＝1.703×1026JKｍ÷(2×107×9.46×1012Km)＝9.001×105
公転速度＝(9.001×105)1/2=9.487×102Km/s、です。
3×107光年の軌道では、速度2＝1.703×1026JKｍ÷(3×107×9.46×1012Km)＝6.001×105
公転速度＝(6.001×105)1/2=7.747×102 Km/s、です。
4×107光年の軌道では、速度2＝1.703×1026JKｍ÷(4×107×9.46×1012Km)＝4.501×105
公転速度＝(4.501×105)1/2=6.709×102 Km/s、です。
5×107光年の軌道では、速度2＝1.703×1026JKｍ÷(5×107×9.46×1012Km)＝3.600×105
公転速度＝(3.600×105)1/2=6×102Km/s、です。
６．  各々の場合、宇宙の公転軌道は1公転するのに何年かかるか。現在まで何周しているか。
1周するのにかかる年数＝円周÷1年間に走る距離＝2×3.14×半径(光年)×9.46×1012Km÷(秒速Km/s×365×24×60×60s)=1.883×106×半径(光年)÷秒速
aの場合。
107光年の軌道を公転する。公転速度＝6×102Km/s、です。
1周するのにかかる年数＝2×3.14×10７×9.46×1012Km÷(6×102Km/s×365×24×60×60ｓ)＝5.941×1020÷(1.892×1010)＝3.140×1010(年)
何周しているか。
137×108年÷(3.140×1010年)＝0.436回転
2×107光年の軌道を公転する。公転速度＝4.243×102 Km/s、です。
1周するのにかかる年数＝2×3.14×2×10７×9.46×1012Km÷(4.243×102Km/s×365×24×60×60ｓ)＝1.188×1021÷(1.338×1010)＝8.879×1010(年)
何周しているか。
137×108年÷(8.879×1010年)＝0.154回転
3×107光年の軌道を公転する。公転速度＝3.464×102 Km/s、です。
1周するのにかかる年数＝2×3.14×3×10７×9.46×1012Km÷(3.464×102Km/s×365×24×60×60ｓ)＝1.782×1021÷(1.092×1010)＝1.632×1011(年)
何周しているか。
137×108年÷(1.632×1011年)＝0.084回転
4×107光年の軌道を公転する。公転速度＝3.000×102 Km/s、です。
1周するのにかかる年数＝2×3.14×4×10７×9.46×1012Km÷(3.000×102Km/s×365×24×60×60ｓ)＝2.376×1021÷(9.461×109)＝2.511×1011(年)
何周しているか。
137×108年÷(2.511×1011年)＝0.055回転
5×107光年の軌道を公転する。公転速度＝2.683×102 Km/s、です。
1周するのにかかる年数＝2×3.14×5×10７×9.46×1012Km÷(2.683×102Km/s×365×24×60×60ｓ)＝2.970×1021÷(8.461×109)＝3.510×1011(年)
何周しているか。
137×108年÷(3.510×101１年)＝0.039回転
cの場合。
107光年の軌道を公転する。公転速度＝1.039×103 Km/s、です。
1周するのにかかる年数＝2×3.14×10７×9.46×1012Km÷(1.039×103Km/s×365×24×60×60ｓ)＝5.941×1020÷(3.277×1010)＝1.813×1010(年)
何周しているか。
137×108年÷(1.813×1010年)＝0.756回転
2×107光年の軌道を公転する。公転速度＝7.350×102Km/s、です。
1周するのにかかる年数＝2×3.14×2×10７×9.46×1012Km÷(7.350×102Km/s×365×24×60×60ｓ)＝1.188×1021÷(2.318×1010)＝5.125×1010(年)
何周しているか。
137×108年÷(5.125×1010年)＝0.267回転
3×107光年の軌道を公転する。公転速度＝6.001×102 Km/s、です。
1周するのにかかる年数＝2×3.14×3×10７×9.46×1012Km÷(6.001×102Km/s×365×24×60×60ｓ)＝1.782×1021÷(1.892×1010)＝9.419×1010(年)
何周しているか。
137×108年÷(9.419×1010年)＝0.145回転
4×107光年の軌道を公転する。公転速度＝5.197×102 Km/s、です。
1周するのにかかる年数＝2×3.14×4×10７×9.46×1012Km÷(5.197×102Km/s×365×24×60×60ｓ)＝2.376×1021÷(1.639×1010)＝1.450×1011(年)
何周しているか。
137×108年÷(1.450×1011年)＝0.094回転
5×107光年の軌道を公転する。公転速度＝4.649×102 Km/s、です。
1周するのにかかる年数＝2×3.14×5×10７×9.46×1012Km÷(4.649×102Km/s×365×24×60×60ｓ)＝2.970×1021÷(1.466×1010)＝2.026×1011(年)
何周しているか。
137×108年÷(2.026×101１年)＝0.068回転
eの場合。
107光年の軌道を公転する。公転速度＝1.342×103 Km/s、です。
1周するのにかかる年数＝2×3.14×10７×9.46×1012Km÷(1.342×103Km/s×365×24×60×60ｓ)＝5.941×1020÷(4.232×1010)＝1.404×1010(年)
何周しているか。
137×108年÷(1.404×1010年)＝0.9758回転
2×107光年の軌道を公転する。公転速度＝9.487×102Km/s、です。
1周するのにかかる年数＝2×3.14×2×10７×9.46×1012Km÷(9.487×102Km/s×365×24×60×60ｓ)＝1.188×1021÷(2.992×1010)＝3.971×1010(年)
何周しているか。
137×108年÷(3.971×1010年)＝0.345回転
3×107光年の軌道を公転する。公転速度＝7.747×102 Km/s、です。
1周するのにかかる年数＝2×3.14×3×10７×9.46×1012Km÷(7.747×102Km/s×365×24×60×60ｓ)＝1.782×1021÷(2.443×1010)＝7.294×1010(年)
何周しているか。
137×108年÷(7.294×1010年)＝0.188回転
4×107光年の軌道を公転する。公転速度＝6.709×102 Km/s、です。
1周するのにかかる年数＝2×3.14×4×10７×9.46×1012Km÷(6.709×102Km/s×365×24×60×60ｓ)＝2.376×1021÷(2.116×1010)＝1.123×1011(年)
何周しているか。
137×108年÷(1.123×1011年)＝0.122回転
5×107光年の軌道を公転する。
1周するのにかかる年数＝2×3.14×5×10７×9.46×1012Km÷(6×102Km/s×365×24×60×60ｓ)＝2.970×1021÷(1.892×1010)＝1.570×1011(年)
何周しているか。
137×108年÷(1.570×1011年)＝0.087回転
表2
2012244823.tif 000004
７．  宇宙の公転軌道エネルギーの式はどのようであるか。公転速度はいくらか。宇宙の公転軌道は1公転するのに何年かかるか。現在まで何周しているか。一般式を求める。
・宇宙の公転軌道エネルギーの式はどのようであるか。一般式を求める。
a. 半径107光年の軌道の秒速がDKmである場合。
宇宙の公転軌道エネルギー＝D2×中心からの距離＝D2×107×9.46×1012Km＝D2×9.46×1019
JKm
宇宙の公転軌道エネルギー＝D2×9.46×1019JKm÷距離、です。
b. 半径2×107光年の軌道の秒速がDKmである場合。
宇宙の公転軌道エネルギー＝公転速度2×中心からの距離＝D2×2×107×9.46×1012Km＝D2×1.892×1020JKm
宇宙の公転軌道エネルギー＝D2×1.892×1020JKm÷距離、です。
c. 半径3×107光年の軌道の秒速がDKmである場合。
宇宙の公転軌道エネルギー＝公転速度2×中心からの距離＝D2×3×107×9.46×1012Km＝D2×2.838×1020JKm
宇宙の公転軌道エネルギー＝D2×2.838×1020JKm÷距離、です。
d. 半径4×107光年の軌道の秒速がDKmである場合。
宇宙の公転軌道エネルギー＝公転速度2×中心からの距離＝D2×4×107×9.46×1012Km＝D2×3.748×1020JKm
宇宙の公転軌道エネルギー＝D2×3.748×1020JKm÷距離、です。
e. 半径5×107光年の軌道の秒速がDKmである場合。
宇宙の公転軌道エネルギー＝公転速度2×中心からの距離＝D2×5×107×9.46×1012Km＝D2×4.73×1020JKm
宇宙の公転軌道エネルギー＝D2×4.73×1020JKm÷距離、です。
・公転速度はいくらか。一般式を求める。
公転速度2＝宇宙の公転軌道エネルギー
公転速度＝宇宙の公転軌道エネルギー1/2
a. の場合。宇宙の公転軌道エネルギー＝ D2×9.46×1019JKm÷距離、です。
107光年の軌道では、速度2＝D2×9.46×1019JKm JKm÷(107×9.46×1012Km)＝D2
公転速度＝(D2)1/2=DKm/s、です。
2×107光年の軌道では、速度2＝D2×9.46×1019JKm
÷(2×107×9.46×1012Km)＝0.5D2
公転速度＝(0.5D2)1/2=0.7071DKm/s、です。
3×107光年の軌道では、速度2＝D2×9.46×1019JKm
÷(3×107×9.46×1012Km)＝0.333D2
公転速度＝(0.333D2)1/2=0.577DKm/s、です。
4×107光年の軌道では、速度2＝D2×9.46×1019JKm
÷(4×107×9.46×1012Km)＝0.25D2
公転速度＝(0.25D2)1/2=0.5DKm/s、です。
5×107光年の軌道では、速度2＝D2×9.46×1019JKm
÷(5×107×9.46×1012Km)＝0.2D2
公転速度＝(0.2D2)1/2=0.447DKm/s、です。
c. の場合。宇宙の公転軌道エネルギー＝D2×2.838×1020JKm÷距離、です。
107光年の軌道では、速度2＝D2×2.838×1020JKm÷(107×9.46×1012Km)＝3D2
公転速度＝(3D2)1/2=1.732DKm/s、です。
2×107光年の軌道では、速度2＝D2×2.838×1020JKm÷(2×107×9.46×1012Km)＝1.5D2
公転速度＝(1.5D2)1/2=1.225DKm/s、です。
3×107光年の軌道では、速度2＝D2×2.838×1020JKm
÷(3×107×9.46×1012Km)＝D2
公転速度＝(D2)1/2=DKm/s、です。
4×107光年の軌道では、速度2＝D2×2.838×1020JKm
÷(4×107×9.46×1012Km)＝0.75D2
公転速度＝(0.75D2)1/2=0.866DKm/s、です。
5×107光年の軌道では、速度2＝D2×2.838×1020JKm
÷(5×107×9.46×1012Km)＝0.6D2
公転速度＝(0.6D2)1/2=0.775DKm/s、です。
e. の場合。宇宙の公転軌道エネルギー＝D2×4.73×1020JKm÷距離、です。
107光年の軌道では、速度2＝D2×4.73×1020JKm÷(107×9.46×1012Km)＝5D2
公転速度＝(5D2)1/2=2.236DKm/s、です。
2×107光年の軌道では、速度2＝D2×4.73×1020JKm÷(2×107×9.46×1012Km)＝2.5D2
公転速度＝(2.5D2)1/2=1.581DKm/s、です。
3×107光年の軌道では、速度2＝D2×4.73×1020JKm
÷(3×107×9.46×1012Km)＝1.666D2
公転速度＝(1.666D2)1/2=1.291DKm/s、です。
4×107光年の軌道では、速度2＝D2×4.73×1020JKm
÷(4×107×9.46×1012Km)＝1.250D2
公転速度＝(1.250D2)1/2=1.118DKm/s、です。
5×107光年の軌道では、速度2＝D2×4.73×1020JKm
÷(5×107×9.46×1012Km)＝D2
公転速度＝(D2)1/2=DKm/s、です。
・宇宙の公転軌道は1周するのに何年かかるか。現在まで何周しているか。一般式を求める。
1周するのにかかる年数＝円周÷1年間に走る距離＝2×3.14×半径(光年)×9.46×1012Km÷(秒速×365×24×60×60)＝1.883×半径(光年)÷秒速×106
何周しているか＝137×108年÷1周するのにかかる年数＝137×108年÷(1.883×半径(光年)÷秒速×106)＝7.276×103×秒速÷半径(光年)
a.の場合。
107光年の軌道を公転する。公転速度＝D21/2=DKm/s、です。
1周するのにかかる年数＝1.883×半径(光年)÷秒速×106＝1.883×107÷D×106＝1.883×1013÷D
何周しているか＝7.276×103×秒速÷半径(光年)＝7.276×103×D÷107＝7.276×10−4×D
2×107光年の軌道を公転する。公転速度＝0.707DKm/s、です。
1周するのにかかる年数＝1.883×半径(光年)÷秒速×106＝1.883×2×107÷0.707D×106＝5.327×1013÷D
何周しているか＝7.276×103×秒速÷半径(光年)＝7.276×103×0.707D÷(2×107)＝2.572×10−4×D
3×107光年の軌道を公転する。公転速度＝0.577DKm/s、です。
1周するのにかかる年数＝1.883×半径(光年)÷秒速×106＝1.883×3×107÷0.577D×106＝9.790×1013÷D
何周しているか＝7.276×103×秒速÷半径(光年)＝7.276×103×0.577D÷(3×107)＝1.399×10−4×D
4×107光年の軌道を公転する。公転速度＝0.5DKm/s、です。
1周するのにかかる年数＝1.883×半径(光年)÷秒速×106＝1.883×4×107÷0.5D×106＝1.506×1014÷D
何周しているか＝7.276×103×秒速÷半径(光年)＝7.276×103×0.5D÷(4×107)＝9.095×10−5×D
5×107光年の軌道を公転する。公転速度＝0.447DKm/s、です。
1周するのにかかる年数＝1.883×半径(光年)÷秒速×106＝1.883×5×107÷0.447D×106＝2.106×1014÷D
何周しているか＝7.276×103×秒速÷半径(光年)＝7.276×103×0.447D÷(5×107)＝6.505×10−5×D
cの場合。
107光年の軌道を公転する。公転速度＝1.732DKm/s、です。
1周するのにかかる年数＝1.883×半径(光年)÷秒速×106＝1.883×107÷1.732D×106＝1.087×1013÷D
何周しているか＝7.276×103×秒速÷半径(光年)＝7.276×103×1.732D÷107＝1.260×10−3×D
2×107光年の軌道を公転する。公転速度＝1.225DKm/s、です。
1周するのにかかる年数＝1.883×半径(光年)÷秒速×106＝1.883×2×107÷1.225D×106＝3.074×1013÷D
何周しているか＝7.276×103×秒速÷半径(光年)＝7.276×103×1.225D÷(2×107)＝4.457×10−4×D
3×107光年の軌道を公転する。公転速度＝DKm/s、です。
1周するのにかかる年数＝1.883×半径(光年)÷秒速×106＝1.883×3×107÷D×106＝5.649×1013÷D
何周しているか＝7.276×103×秒速÷半径(光年)＝7.276×103×D÷(3×107)＝2.425×10−4×D
4×107光年の軌道を公転する。公転速度＝0.866DKm/s、です。
1周するのにかかる年数＝1.883×半径(光年)÷秒速×106＝1.883×4×107÷0.866D×106＝8.697×1013÷D
何周しているか＝7.276×103×秒速÷半径(光年)＝7.276×103×0.866D÷(4×107)＝1.575×10−4×D
5×107光年の軌道を公転する。公転速度＝0.775DKm/s、です。
1周するのにかかる年数＝1.883×半径(光年)÷秒速×106＝1.883×5×107÷0.775D×106＝1.215×1014÷D
何周しているか＝7.276×103×秒速÷半径(光年)＝7.276×103×0.775D÷(5×107)＝1.128×10−4×D
e.の場合。
107光年の軌道を公転する。公転速度＝2.236DKm/s、です。
1周するのにかかる年数＝1.883×半径(光年)÷秒速×106＝1.883×107÷2.236D×106＝8.421×1012÷D
何周しているか＝7.276×103×秒速÷半径(光年)＝7.276×103×2.236D÷107＝1.627×10−3×D
2×107光年の軌道を公転する。公転速度＝1.581DKm/s、です。
1周するのにかかる年数＝1.883×半径(光年)÷秒速×106＝1.883×2×107÷1.581D×106＝2.382×1013÷D
何周しているか＝7.276×103×秒速÷半径(光年)＝7.276×103×1.581D÷(2×107)＝5.752×10−4×D
3×107光年の軌道を公転する。公転速度＝1.291DKm/s、です。
1周するのにかかる年数＝1.883×半径(光年)÷秒速×106＝1.883×3×107÷1.291D×106＝4.376×1013÷D
何周しているか＝7.276×103×秒速÷半径(光年)＝7.276×103×1.291D÷(3×107)＝3.131×10−4×D
4×107光年の軌道を公転する。公転速度＝1.118DKm/s、です。
1周するのにかかる年数＝1.883×半径(光年)÷秒速×106＝1.883×4×107÷1.118D×106＝6.737×1013÷D
何周しているか＝7.276×103×秒速÷半径(光年)＝7.276×103×1.118D÷(4×107)＝2.034×10−4×D
5×107光年の軌道を公転する。公転速度＝DKm/s、です。
1周するのにかかる年数＝1.883×半径(光年)÷秒速×106＝1.883×5×107÷D×106＝9.415×1013÷D
何周しているか＝7.276×103×秒速÷半径(光年)＝7.276×103×D÷(5×107)＝1.455×10−4×D
表3
2012244823.tif 000005
・この事によって理解できる事。
軌道の速度を知る事によって、宇宙の公転軌道エネルギー、各々の軌道における公転速度、1周するのにかかる年数、何周しているか、を計算できる。
８．  中心のブラックホールの質量はいくらか。一般式を求め、1例を示す。
中心のブラックホールの質量が10n太陽質量であるとき、軌道エネルギーは、5.4×1018+2n/3JKm÷距離、です。この事から中心のブラックホールの質量を求める。一般式を求める。
公転速度をD(Km/s)とする。
a.銀河が半径107光年の軌道に存在し、その公転速度をD(Km/s)とする。
5.4×1018+2n/3JKm÷距離＝5.4×1018+2n/3JKm÷(107×9.46×1012Km)＝D2
102n/3＝D2÷5.4×(107×9.46×1012Km)÷1018＝1.752×10×D2＝101.2435×D2 
2n/3 =1.243+log D2
n=(1.243+log D2)×1.5  
10n=中央のブラックホールの質量
a. 例えば、半径107光年の軌道の秒速が600Kmである場合。
n＝(1.243+log D2)×1.5＝(1.243+Log6002)×1.5＝(1.243+ Log3.6×105)×1.5＝(1.243+5.5563)×1.5＝6.7993×1.5＝10.19895
1010.19895＝1.581×1010
中央のブラックホールの質量は、1.581×1010太陽質量です。
ｃ. 半径3×107光年の軌道の秒速がDKmである場合。
5.4×1018+2n/3JKm÷距離＝5.4×1018+2n/3JKm÷(3×107×9.46×1012Km)＝D2
102n/3＝D2÷5.4×(3×107×9.46×1012Km)÷1018＝5.2556×10×D2＝101.7207×D2
2n/3=1.7207×log D2
n＝(1.7207×log D2)×1.5
10n=中央のブラックホールの質量
c. 例えば、半径3×107光年の軌道の秒速が600Kmである場合。
n＝(1.7207×log D2)×1.5＝(1.7207+Log6002)×1.5＝(1.7207+ Log3.6×105)×1.5＝(1.7207+5.5563)×1.5＝7.277×1.5＝10.9155
1010.9155=8.231×1010
中央のブラックホールの質量は、8.231×1010太陽質量です。
e. 半径5×107光年の軌道の秒速がDKmである場合。
5.4×1018+2n/3JKm÷距離＝5.4×1018+2n/3JKm÷(5×107×9.46×1012Km)＝D2
102n/3＝D2÷5.4×(5×107×9.46×1012Km)÷1018＝8.759×10×D2＝101.9894×D2
2n/3=1.9894×log D2
n＝(1.9894×log D2)×1.5
10n=中央のブラックホールの質量
e. 例えば、半径5×107光年の軌道の秒速が600Kmである場合。
n＝(1.9894×log D2)×1.5＝(1.9894+Log6002)×1.5＝(1.9894+ Log3.6×105)×1.5＝(1.9894+5.5563)×1.5＝7.5457×1.5＝11.31855
1011.31855＝2.082×1011
中央のブラックホールの質量は、2.082×1011太陽質量です。
９．  中央のブラックホールができるために必要な質量はいくらか。
私は、2008年9月1日に提出した、特願2008−223099、において、太陽質量のB倍のブラックホールになるために必要な質量は、B×9.458×105太陽質量に成る、と示した。
それで、a,c,eの場合、ブラックホールになるために必要な質量はいくらか。
a. 例えば、半径107光年の軌道の秒速が600Kmである場合。
中央のブラックホールの質量は、1.581×1010太陽質量です。
中央のブラックホールができるために必要な質量=9.458×105×1.581×1010太陽質量=1.495×1016太陽質量
中央のブラックホールができるために必要な質量は1.495×1016太陽質量です。
c. 例えば、半径3×107光年の軌道の秒速が600Kmである場合。
中央のブラックホールの質量は、8.231×1010太陽質量です。
中央のブラックホールができるために必要な質量=9.458×105×8.231×1010太陽質量＝7.785×1016太陽質量
中央のブラックホールができるために必要な質量は7.785×1016太陽質量です。
e. 例えば、半径5×107光年の軌道の秒速が600Kmである場合。
中央のブラックホールの質量は、2.082×1011太陽質量です。
中央のブラックホールができるために必要な質量=9.458×105×2.082×1011太陽質量＝1.969×1017太陽質量
中央のブラックホールができるために必要な質量は1.969×1017太陽質量です。
１０．  磁気の届く距離はいくらか。この距離は何光年か。
私は、2008年7月4日に提出した、特願2008−200203において、
β＝軌道の全体の質量＝ブラックホールになるために必要な質量とする。
磁気の届く距離＝1.627×1010×β2/3Km、と示した。
a. 例えば、半径107光年の軌道の秒速が600Kmである場合。
β＝軌道の全体の質量＝ブラックホールになるために必要な質量＝1.495×1016太陽質量
磁気の届く距離＝1.627×1010×β2/3Km＝1.627×1010×(1.495×1016)2/3Km=1.627×1010×14.952/3×1010Km＝1.627×1010×6.069×1010Km＝9.874×1020Km
磁気の届く距離は9.874×1020Kmです。
この距離は何光年か。
距離÷(9.46×1012Km)＝9.874×1020Km÷(9.46×1012Km)＝1.044×108(光年)
磁気の届く距離は1.044×108光年です。
c. 例えば、半径3×107光年の軌道の秒速が600Kmである場合。
β＝軌道の全体の質量＝ブラックホールになるために必要な質量＝7.783×1016太陽質量
磁気の届く距離＝1.627×1010×β2/3Km＝1.627×1010×(7.783×1016)2/3Km=1.627×1010×77.832/3×1010Km＝1.627×1010×18.229×1010Km＝2.966×1021Km
磁気の届く距離は2.966×1021Kmです。
この距離は何光年か。
距離÷(9.46×1012Km)＝2.966×1021Km÷(9.46×1012Km)＝3.135×108(光年)
磁気の届く距離は3.135×108光年です。
e. 例えば、半径5×107光年の軌道の秒速が600Kmである場合。
β＝軌道の全体の質量＝ブラックホールになるために必要な質量＝1.969×1017太陽質量
磁気の届く距離＝1.627×1010×β2/3Km＝1.627×1010×(1.969×101７)2/3Km=1.627×1010×196.92/3×1010Km＝1.627×1010×33.845×1010Km＝5.507×1021Km
磁気の届く距離は5.507×1021Kmです。
この距離は何光年か。
距離÷(9.46×1012Km)＝5.507×1021Km÷(9.46×1012Km)＝5.821×108(光年)
磁気の届く距離は5.821×108光年です。
表4
2012244823.tif 000006
・この事によって理解できる事。
現在、宇宙の軌道は約1億光年です。
この事によって、中央のブラックホールの質量を求める式も、中央のブラックホールができるために必要な質量を求める式も、磁気の届く距離を求める式も正しい事が確認できた。
中心のブラックホールの質量が10n太陽質量であるとき、軌道エネルギーは、5.4×1018+2n/3JKm÷距離、です。
軌道エネルギーは速度2です。
太陽質量のB倍のブラックホールになるために必要な質量は、B×9.458×105太陽質量です。
磁気の届く距離＝1.627×1010×β2/3Km、βは全体の質量で、中央のブラックホールができるために必要な質量です。
軌道の速度を知る事によって、中央のブラックホールの質量、中央のブラックホールができるために必要な質量、磁気の届く距離を知る事ができる。
１１．  もし、宇宙の公転軌道が1億光年で、現在まで1公転しているとしたら、筒の長さはいくらか。
私は、2008年10月17日に提出した、特願2008−268538、「宇宙11」で、次のように記した。
螺旋回転速度2＝公転速度2÷0.01254＝公転速度2×79.7
このことは、螺旋回転速度＝(公転速度2×79.7)1/2≒公転速度×8.927、です。
速さと距離は比例します。それで、螺旋回転で進んだ距離は公転で進む距離×8.927、です。
もし、公転で進んだ距離＝軌道×3.14とすると、
筒の長さを進んだ距離は、公転で進んだ距離×8.927です。
筒の長さを進んだ距離は、公転で進んだ距離×8.927で、これは螺旋回転をしているので、筒の長さにすると、公転で進んだ距離×8.927÷3.14＝公転で進んだ距離×2.843、です。
現在まで、仮に、宇宙は1公転し、公転の直径が1億光年であるとすると、宇宙の進んだ距離は、1億光年×3.14です。
そして、螺旋状に進んだ距離は、公転で進んだ距離×8.927＝1億光年×3.14×8.927＝28.03億光年です。
そして、それを筒の長さにすると、公転で進んだ距離×8.927÷3.14＝公転で進んだ距離×2.843＝1億光年×3.14×2.843＝8.927億光年です。
即ち、筒の長さは、8.927億光年です。
１２．  宇宙の状態を筒と考えると、筒の直径は少しずつ拡大しているのはなぜか。
中央のブラックホールのエネルギーと、それを含む全体のエネルギーが引力(磁気)に成り、筒を引いている。
時間の経過とともに、そのエネルギーは弱まる。引力は弱まる。その結果筒の直径は少しずつ拡大している。
１３．  中心のブラックホールはいつできたか。
中心のブラックホールはビッグバンの時にできた。
１４．  グレートウオールはどのようになっているのか。
遠くの銀河ほど古い時代にできた。銀河の塊がある軌道に存在します。時間と共に、軌道は進みます。軌道は螺旋状に進みます。
軌道に存在する銀河の塊も螺旋状に筒の中を進みます。それで、銀河の存在の様子は銀河が時間と共に軌道上を進んでいる事を示している。
グレートウオールはたくさんの銀河が軌道に存在し、軌道を進んでいる事を示している。
１５．  グレートウオールの形から、宇宙は今まで何公転したか。
グレートウオールは3億光年の距離にあり、グレートウオールは長さ5億光年以上、高さ2億光年、厚さ1500万光年程です。
グレートウオールの形から、宇宙は今まで約１公転したと推察できる。
１６．  宇宙はこれからどのように進むか。
電子は陽子の周囲を螺旋回転し、地球は太陽の周囲を螺旋回転し、太陽は腕の中のブラックホールを螺旋回転し、銀河系は中心のブラックホールの周囲を螺旋回転する。
宇宙は、まるで、ホルンのように先端の公転を拡大しながら螺旋回転する。
【産業上の利用可能性】
【０００９】
宇宙がどうして筒状に成っているのかを理解する事は科学の発展に役立つ。
宇宙現象の解明をする事は科学の発展に役立つ。
【符号の説明】
【００１０】
１    半径107光年の軌道の公転速度は600Km/s。
２    宇宙の公転軌道エネルギー＝3.406×1025Jkm÷距離。
３    中心のブラックホールの質量は1.581×1010太陽質量。
４    全体の質量は1.495×1016太陽質量。
５    磁気の届く距離は1.044×108光年。
６    3×107光年の軌道の公転速度は600Km/s。
７    宇宙の公転軌道エネルギー＝1.022×1026JKm÷距離。
８    中心のブラックホールの質量は8.231×1010太陽質量。
９    全体の質量は7.785×1016太陽質量。
１０    磁気の届く距離は3.135×108光年。
１１    5×107光年の軌道の公転速度は600Km/s。
１２    宇宙の公転軌道エネルギー＝1.703×1026JKm÷距離。
１３    中心のブラックホールの質量は2.082×1011太陽質量。
１４    全体の質量は1.969×1017太陽質量。
１５    磁気の届く距離は5.821×108光年。
１６    筒
１７    筒の中心のブラックホール
１８    質量に成る銀河団
１９    時間の経過
２０    ブラックホールや全体の質量エネルギーは時間の経過とともに減少し、引力も減少し、筒は拡大する。
２１    螺旋回転の軌道
２２    螺旋回転する軌道の上に存在する銀河団が時間の経過とともに移動する。これがグレートウオール
２３    筒の直径が1億光年とすると、筒の長さはその8.72倍の8.72億光年。
【図１】
2012244823.tif 000011
【図２】
2012244823.tif 000012
【図３】
2012244823.tif 000013
【図４】
2012244823.tif 000014
【手続補正書】
【提出日】平成24年1月6日(2012.1.6)
【手続補正１】
【補正対象書類名】特許請求の範囲
【補正対象項目名】請求項１２
【補正方法】変更
【補正の内容】
【請求項１２】
宇宙の状態を筒と考えると、筒の直径は少しずつ拡大しているのはなぜか。
中央のブラックホールのエネルギーと、それを含む全体のエネルギーが引力(磁気)に成り、筒を引いている。
時間の経過とともに、そのエネルギーは弱まる。引力は弱まる。その結果筒の直径は少しずつ拡大している。筒は拡大し、速度は減速する。